(57)【要約】【課題】複雑な設備を用いることなく、トレイの複数の収容部のそれぞれに収容された電子部品の外観を確実に検査すること等が可能な電子部品の搬送装置および電子部品の搬送方法を提供する。【解決手段】トレイ７の下面側に形成された経路規定用凸部８を、固定カメラ２に対して、固定された位置に配設されたガイド用治具５が備える一続きの案内溝４に係合させ、経路規定用凸部８が案内溝４に沿って移動するようにトレイ７を動かして、複数の収容部６に収容された各電子部品（モジュール部品）１を、固定カメラ２による撮像が行われる撮像領域に順次供給し、固定カメラ２により撮像された各モジュール部品１の画像を観察して各モジュール部品１の外観を検査する。  また、固定カメラによる撮像領域に、複数のモジュール部品を存在させ、複数のモジュール部品の画像を表示させて各モジュール部品の外観を検査する。【選択図】図４
2014077755.tif 000002
【特許請求の範囲】
【請求項１】
トレイの複数の収容部に収容された電子部品を、固定カメラを用いて順次撮像し、得られる画像を観察することにより外観検査を行う電子部品の搬送装置において、
電子部品を撮像する固定カメラと、
前記固定カメラに対して、所定の固定された位置に配設され、一続きの案内溝を備えたガイド用治具と、
上面側に、前記電子部品を収容する複数の収容部が設けられ、下面側に、前記ガイド用治具の前記案内溝に嵌り込む経路規定用凸部が設けられたトレイと
を備え、
前記ガイド用治具の前記案内溝に嵌り込んだ前記経路規定用凸部が、前記案内溝に沿って移動するように前記トレイを移動させることにより、前記トレイが所定の経路で移動し、前記複数の収容部に収容された各電子部品が、前記固定カメラによる撮像領域に順次供給されるように構成されていること
を特徴とする電子部品の搬送装置。
【請求項２】
前記固定カメラにより撮像された前記電子部品の画像を表示するモニターをさらに含む、請求項１記載の電子部品の搬送装置。
【請求項３】
前記撮像領域に複数の電子部品が存在し、前記固定カメラにより撮像された前記複数の電子部品の画像が前記モニターに表示されるように構成されていることを特徴とする請求項２記載の電子部品の搬送装置。
【請求項４】
トレイの複数の収容部に収容された電子部品を、順次所定位置に搬送する電子部品の搬送装置において、
所定の固定された位置に配設され、一続きの案内溝を備えたガイド用治具と、
上面側に、前記電子部品を収容する複数の収容部が設けられ、下面側に、前記ガイド用治具の前記案内溝に嵌り込む経路規定用凸部が設けられたトレイと
を備え、
前記ガイド用治具の前記案内溝に嵌り込んだ前記経路規定用凸部が、前記案内溝に沿って移動するように前記トレイを移動させることにより、前記トレイが所定の経路で移動し、前記複数の収容部に収容された各電子部品が、前記所定位置に順次供給されるように構成されていること
を特徴とする電子部品の搬送装置。
【請求項５】
トレイの複数の収容部に収容された電子部品を、固定カメラを用いて順次撮像し、得られる画像を観察することにより外観検査を行う電子部品の搬送方法において、
上面側に前記電子部品を収容するための複数の収容部が設けられ、下面側に経路規定用凸部が設けられたトレイの、前記複数の収容部のそれぞれに前記電子部品を収容する工程と、
固定カメラに対して、固定された位置に配設され、一続きの案内溝を備えたガイド用治具の前記案内溝に、前記トレイの前記経路規定用凸部を嵌り込ませ、前記経路規定用凸部が前記案内溝に沿って移動するように前記トレイを移動させ、前記複数の収容部に収容された各電子部品を、前記固定カメラによる撮像領域に順次供給し、前記固定カメラにより撮像された各電子部品の画像を観察することにより各電子部品の外観を順次検査する工程と
を備えていることを特徴とする電子部品の搬送方法。
【請求項６】
前記撮像領域に、複数の電子部品を存在させ、前記固定カメラにより撮像された前記電子部品の画像を表示するモニターに、前記固定カメラにより撮像された前記複数の電子部品の画像を表示させながら、各電子部品の外観を順次検査することを特徴とする請求項５記載の電子部品の搬送方法。
【請求項７】
トレイの複数の収容部に収容された電子部品を、順次所定位置に搬送する電子部品の搬送方法において、
上面側に前記電子部品を収容するための複数の収容部が設けられ、下面側に経路規定用凸部が設けられたトレイの、前記複数の収容部のそれぞれに前記電子部品を収容する工程と、
固定された位置に配設され、一続きの案内溝を備えたガイド用治具の前記案内溝に、前記トレイの前記経路規定用凸部を嵌り込ませ、前記経路規定用凸部が前記案内溝に沿って移動するように前記トレイを移動させ、前記複数の収容部に収容された各電子部品を、前記所定位置に順次供給する工程とを備えていること
を特徴とする電子部品の搬送方法。
【発明の詳細な説明】
【技術分野】
【０００１】
本発明は、電子部品の搬送装置および電子部品の搬送方法に関し、詳しくは、トレイの複数の収容部のそれぞれに収容された各電子部品を順次搬送するための装置および方法に関する。
【背景技術】
【０００２】
近年、携帯通信端末などには種々の電子機器が広く用いられている。このような電子機器に搭載される、モジュール部品、シールドケース、同軸ケーブルなどの電子部品については、電子機器の不具合や誤動作を招かないように、予め検査を行って不良品を取り除いておくことが必要になる。そして、そのような電子部品についての検査の１つに外観の良否を調べる外観検査がある。
【０００３】
ところで、電子部品の外観検査を行う方法として、例えば、特許文献１には、トレイの複数の凹部に収納された電子部品を、カメラを用いて個々に画像認識し、検査するトレイ部品検査方法であって、トレイを吸着保持して移動させ、その凹部内に吸着保持した部品を、前記カメラに対し個々に位置決めしながらカメラを用い順次画像認識して検査を行うようにしたトレイ部品検査方法が開示されている。
【０００４】
しかし、引用文献１の図２、図３に示されているような検査装置を構成するためには、検査装置の保持手段としての受載台、受載台を介しそれに保持したトレイを位置決めするためのＸテーブルおよびＹテーブル、それらに専用のＸ軸モータおよびＸねじ軸、Ｙ軸モータおよびＹねじ軸などが必要で、設備の複雑化や、設備コストの増大を招くという問題点がある。
【０００５】
そこで、設備コストを抑えるために、手動でトレイを移動させるようにして設備を簡略化することが考えられるが、その場合には、例えば、多数列に配列された部品を一列ずつ順次検査する際に、列を１つ飛ばしてトレイを移動させてしまうというようなおそれがあり、すべての部品を検査するにあたって十分な信頼性を確保することができないという問題点がある。
【先行技術文献】
【特許文献】
【０００６】
【特許文献１】特開２００７−３３２６号公報
【発明の概要】
【発明が解決しようとする課題】
【０００７】
本発明は、上記課題を解決するものであり、複雑な設備を必要とすることなく、トレイの複数の収容部のそれぞれに収容された電子部品の外観を確実に検査すること等が可能な、電子部品の搬送装置および電子部品の搬送方法を提供することを目的とする。
【課題を解決するための手段】
【０００８】
上記課題を解決するために、本発明の電子部品の搬送装置は、
トレイの複数の収容部に収容された電子部品を、固定カメラを用いて順次撮像し、得られる画像を観察することにより外観検査を行う電子部品の搬送装置において、
電子部品を撮像する固定カメラと、
前記固定カメラに対して、所定の固定された位置に配設され、一続きの案内溝を備えたガイド用治具と、
上面側に、前記電子部品を収容する複数の収容部が設けられ、下面側に、前記ガイド用治具の前記案内溝に嵌り込む経路規定用凸部が設けられたトレイと
を備え、
前記ガイド用治具の前記案内溝に嵌り込んだ前記経路規定用凸部が、前記案内溝に沿って移動するように前記トレイを移動させることにより、前記トレイが所定の経路で移動し、前記複数の収容部に収容された各電子部品が、前記固定カメラによる撮像領域に順次供給されるように構成されていること
を特徴としている。
【０００９】
また、本発明の電子部品の搬送装置においては、前記固定カメラにより撮像された前記電子部品の画像を表示するモニターをさらに含むように構成されていることが好ましい。
【００１０】
上記構成を備えることにより、モニターを介して電子部品の状態をより確実に観察することが可能になる。
【００１１】
また、本発明の電子部品の搬送装置においては、前記撮像領域には、複数の電子部品が存在し、前記固定カメラにより撮像された前記複数の電子部品の画像が前記モニターに表示されるように構成されていることが好ましい。
【００１２】
固定カメラによる撮像領域に、複数の電子部品を存在させ、固定カメラにより撮像された複数の電子部品の画像をモニターに表示されるようにした場合、トレイを移動させる回数を、トレイに配設された収容部の数（検査すべき電子部品の数）よりも少なくして、効率よく電子部品の外観検査を行うことが可能になる。
【００１３】
また、本発明の他の電子部品の搬送装置は、
トレイの複数の収容部に収容された電子部品を、順次所定位置に搬送する電子部品の搬送装置において、
所定の固定された位置に配設され、一続きの案内溝を備えたガイド用治具と、
上面側に、前記電子部品を収容する複数の収容部が設けられ、下面側に、前記ガイド用治具の前記案内溝に嵌り込む経路規定用凸部が設けられたトレイと
を備え、
前記ガイド用治具の前記案内溝に嵌り込んだ前記経路規定用凸部が、前記案内溝に沿って移動するように前記トレイを移動させることにより、前記トレイが所定の経路で移動し、前記複数の収容部に収容された各電子部品が、前記所定位置に順次供給されるように構成されていること
を特徴としている。
【００１４】
また、本発明の電子部品の搬送方法は、
トレイの複数の収容部に収容された電子部品を、固定カメラを用いて順次撮像し、得られる画像を観察することにより外観検査を行う電子部品の搬送方法において、
上面側に前記電子部品を収容するための複数の収容部が設けられ、下面側に経路規定用凸部が設けられたトレイの、前記複数の収容部のそれぞれに前記電子部品を収容する工程と、
固定カメラに対して、固定された位置に配設され、一続きの案内溝を備えたガイド用治具の前記案内溝に、前記トレイの前記経路規定用凸部を嵌り込ませ、前記経路規定用凸部が前記案内溝に沿って移動するように前記トレイを移動させ、前記複数の収容部に収容された各電子部品を、前記固定カメラによる撮像領域に順次供給し、前記固定カメラにより撮像された各電子部品の画像を観察することにより各電子部品の外観を順次検査する工程と
を備えていることを特徴としている。
【００１５】
また、本発明の電子部品の搬送方法においては、前記撮像領域に、複数の電子部品を存在させ、前記固定カメラにより撮像された前記電子部品の画像を表示するモニターに、前記固定カメラにより撮像された前記複数の電子部品の画像を表示させながら、各電子部品の外観を順次検査することが好ましい。
【００１６】
固定カメラによる撮像領域に、複数の電子部品を存在させ、固定カメラにより撮像された複数の電子部品の画像をモニターに表示させながら、各電子部品の外観を順次検査するようにした場合、トレイを移動させる回数を、トレイに配設された収容部の数（検査すべき電子部品の数）よりも少なくして、効率よく電子部品の外観検査を行うことが可能になる。
【００１７】
また、本発明の他の電子部品の搬送方法は、
トレイの複数の収容部に収容された電子部品を、順次所定位置に搬送する電子部品の搬送方法において、
上面側に前記電子部品を収容するための複数の収容部が設けられ、下面側に経路規定用凸部が設けられたトレイの、前記複数の収容部のそれぞれに前記電子部品を収容する工程と、
固定された位置に配設され、一続きの案内溝を備えたガイド用治具の前記案内溝に、前記トレイの前記経路規定用凸部を嵌り込ませ、前記経路規定用凸部が前記案内溝に沿って移動するように前記トレイを移動させ、前記複数の収容部に収容された各電子部品を、前記所定位置に順次供給する工程とを備えていること
を特徴としている。
【発明の効果】
【００１８】
本発明の電子部品の搬送装置は、電子部品を撮像する固定カメラと、固定カメラに対して、所定の固定された位置に配設され、一続きの案内溝を備えたガイド用治具と、上面側に、電子部品を収容する複数の収容部が設けられ、下面側に、ガイド用治具の案内溝に嵌り込む経路規定用凸部が設けられたトレイとを備え、ガイド用治具の案内溝に嵌り込んだ経路規定用凸部が、案内溝に沿って移動するようにトレイを移動させることにより、複数の収容部に収容された各電子部品が、固定カメラによる撮像領域に順次供給されるように構成されているので、複雑な設備を必要とすることなく、例えば、複数列に配列された電子部品の外観検査を行う場合に、電子部品の列を１つ飛ばして検査してしまうというような事態を招くことなく、トレイの複数の収容部のそれぞれに収容された電子部品の外観検査を確実に行うことが可能な搬送装置を提供することが可能になる。
【００１９】
また、本発明の他の電子部品の搬送装置は、所定の固定された位置に配設され、一続きの案内溝を備えたガイド用治具と、上面側に、電子部品を収容する複数の収容部が設けられ、下面側に、ガイド用治具の前記案内溝に嵌り込む経路規定用凸部が設けられたトレイとを備え、ガイド用治具の前記案内溝に嵌り込んだ経路規定用凸部が、案内溝に沿って移動するようにトレイを移動させることにより、トレイが所定の経路で移動し、複数の収容部に収容された各電子部品が、前記所定位置に順次供給されるように構成されているので、複雑な設備を必要とすることなく、例えば、複数列に配列された電子部品の加工や特性選別（特性を測定して良品／不良品の判定を行う）を行う場合に、電子部品の列を１つ飛ばして行うというような事態を招くことなく、トレイの複数の収容部のそれぞれに収容された電子部品の加工等を確実に行うことが可能な搬送装置を提供することが可能になる。
【００２０】
また、本発明の電子部品の搬送方法は、トレイの上面側に設けられた複数の収容部のそれぞれに電子部品を収容し、固定カメラに対して、固定された位置に配設されたガイド用治具の一続きの案内溝に、トレイの経路規定用凸部を嵌り込ませ、経路規定用凸部が案内溝に沿って移動するようにトレイを移動させて、収容部に収容された各電子部品を、固定カメラによる撮像領域に順次供給し、撮像された各電子部品の画像を観察して各電子部品の外観を順次検査するようにしているので、複雑な設備を必要とすることなく、例えば、複数列に配列された電子部品の外観検査を行う場合に、電子部品の列を１つ飛ばして検査してしまうというような事態を招くことなく、トレイの複数の収容部のそれぞれに収容された電子部品の外観検査を確実に行うことが可能になる。
【００２１】
また、本発明の他の電子部品の搬送方法は、上面側に電子部品を収容するための複数の収容部が設けられ、下面側に経路規定用凸部が設けられたトレイの、複数の収容部のそれぞれに電子部品を収容する工程と、固定された位置に配設され、一続きの案内溝を備えたガイド用治具の案内溝に、トレイの経路規定用凸部を嵌り込ませ、経路規定用凸部が案内溝に沿って移動するようにトレイを移動させ、複数の収容部に収容された各電子部品を、所定位置に順次供給する工程とを備えているので、複雑な設備を必要とすることなく、例えば、複数列に配列された電子部品の加工や特性選別（特性を測定して良品／不良品の判定を行う）を行う場合に、電子部品の列を１つ飛ばして行うというような事態を招くことなく、トレイの複数の収容部のそれぞれに収容された電子部品の加工等を確実に行うことが可能な搬送方法を提供することが可能になる。
【図面の簡単な説明】
【００２２】
【図１】本発明の実施形態にかかる電子部品の搬送装置の構成を示す斜視図である。
【図２】本発明の実施形態にかかる電子部品の搬送方法において、外観検査の対象となる電子部品（モジュール部品）を収容する複数の収容部を備えたトレイを示す図であって、（ａ）は収容部にモジュール部品を収容した状態を示す平面図、（ｂ）は正面図である。
【図３】本発明の実施形態にかかる電子部品の搬送装置を構成するガイド用治具を示す図であって、（ａ）は斜視図、（ｂ）は平面図である。
【図４】本発明の実施形態にかかる電子部品の外観方法を説明する図であって、（ａ）は平面図、（ｂ）は正面図、（ｃ）は側面図である。
【図５】本発明の実施形態の変形例にかかる電子部品の搬送装置を構成するガイド用治具を示す図であって、（ａ）は斜視図、（ｂ）は平面図である。
【発明を実施するための形態】
【００２３】
以下に本発明の実施形態を示して、本発明の特徴とするところをさらに詳しく説明する。
【００２４】
この実施形態では、電子部品として、セラミック基板や樹脂基板などの、表面や内部に、半導体チップ、コンデンサチップなどの表面実装部品が搭載された電子部品であるモジュール部品の外観検査を行う場合を例にとって説明する。
【００２５】
図１は本発明の一実施形態にかかる電子部品の搬送装置を示す斜視図、図２は外観検査の対象となる電子部品（モジュール部品）を収容する複数の収容部を備えたトレイを示す図であって、（ａ）は収容部にモジュール部品を収容した状態を示す平面図、（ｂ）は正面図、図３は本発明の電子部品の搬送装置を構成するガイド用治具を示す図であって、（ａ）は斜視図、（ｂ）は平面図である。
【００２６】
図１に示すように、この実施形態にかかる電子部品の搬送装置は、テーブル１０と、電子部品（この実施形態ではモジュール部品）１を撮像する固定カメラ（ビデオカメラ）２と、固定カメラ２により撮像されたモジュール部品１の画像を表示するモニター３と、固定カメラ２に対して、所定の固定された位置に配設され、一続きの案内溝４を備えたガイド用治具５と、モジュール部品１を収容する収容部６を備えた平板状のトレイ７を備えている。
【００２７】
この実施形態にかかる電子部品の搬送装置を構成するトレイ７の、モジュール部品１を収容するための収容部６は、図２（ａ），（ｂ）に示すように、トレイ７の上面側に、複数個マトリックス状に配設されている。
また、トレイ７の下面側の中央部には、上記ガイド用治具５の案内溝４に嵌り込み、案内溝４に沿って移動することにより、トレイ７の全体が固定カメラ２に対して所定の経路で移動するように構成された経路規定用凸部８が形成されている。
【００２８】
なおこの実施形態では、経路規定用凸部８は、平面形状が円形の、背の低い円柱状の構造とされている。ただし、経路規定用凸部８の形状に特別の制約はなく、例えば角柱状とすることも可能である。
【００２９】
また、この実施形態では、１つの経路規定用凸部８を下面側の中央部に配設するようにしているが、場合によってはガイド用治具の案内溝との関係を考慮して、２つ以上の経路規定用凸部を所定の位置に設けることにより、トレイの姿勢を安定させて、より確実にトレイを所定の経路で移動させることができるようにすることができる。
【００３０】
また、この実施形態の電子部品の搬送装置においては、固定カメラ２として、撮像領域Ａ（図４（ａ），（ｂ）参照）において、モジュール部品１を等倍よりも大きい倍率で撮像することが可能なビデオカメラが用いられており、モニター３では、モジュール部品１の拡大された画像が表示されるように構成されている。
【００３１】
また、この実施形態にかかる電子部品の搬送装置を構成するガイド用治具５は、固定カメラ２に対して、固定された位置に確実に保持されるように、テーブル１０上に固定的に設置されている。
【００３２】
そして、この実施形態にかかる電子部品の搬送装置を構成するガイド用治具５には、図３（ａ），（ｂ）に示すように、その上面には、折り返しパターンを有する一続きの案内溝４が形成されている。
【００３３】
なお、案内溝４は、トレイ７の複数の収容部６に収容された各モジュール部品１のすべてを、順次、効率よく、固定カメラ２の撮像領域Ａに案内することができるようなパターンとされている。この実施形態では、案内溝４は、図３（ｂ）におけるガイド用治具５の上端側および下端側で、コ字状（略Ｕ字状）に折り返されたパターンとされている。
【００３４】
なお、案内溝４のパターンに特別の制約はないが、トレイ７の下面に形成された経路規定用凸部８が、案内溝４に沿って移動することにより、トレイ７の複数の収容部６に収容された各モジュール部品１が、固定カメラ２による撮像が行われる撮像領域Ａに順次供給されるようなパターンであることが必要であり、また、トレイ７の動線（経路）ができるだけ短くなるようなパターンであることが望ましい。
【００３５】
なお、この実施形態において、ガイド用治具５は、図３（ａ）に示すように、案内溝４となる領域を切り欠いた形状を有する平板状の第１部材５ａが上層、一端側が厚く、他端側が薄くて、傾斜を有する第２部材５ｂが下層となるように両者を接合することにより形成されており、その上に載置されるトレイ７の上面側を作業者が目視確認しやすいように、テーブル１０（図１）の手前側から見て、奥側が高くなり、手前側が低くなるような傾斜が与えられている。
【００３６】
次に、この電子部品の搬送装置を用いて電子部品（モジュール部品）を搬送しながら外観検査を行う方法について説明する。
まず、トレイ７が備える複数の収容部６のそれぞれに、電子部品（モジュール部品）１を収容する。
【００３７】
そして、図４（ａ）〜（ｃ）に示すように、モジュール部品１が収容されたトレイ７を、下面側に形成された経路規定用凸部８が、ガイド用治具５の案内溝４に嵌り込むように、ガイド用治具５上に載置する。
【００３８】
それから、案内溝４に、トレイ７の経路規定用凸部８が嵌り込んだ状態で、経路規定用凸部８が案内溝４に沿って移動するようにトレイ７を、手動でガイド用治具５上を移動させる。
【００３９】
そして、上述のように、経路規定用凸部８が案内溝４に沿って移動するように、トレイ７をガイド用治具５上で移動させることにより、トレイ７の複数の収容部６に収容された各モジュール部品１を順次、固定カメラ２（図４（ｂ））による撮像が行われる撮像領域Ａに供給し、固定カメラ２で撮像したモジュール部品１の画像をモニター３（図１参照）に表示させる。
【００４０】
そして、撮像領域Ａにおいて固定カメラ２により順次撮像される各モジュール部品１の画像をモニター３で観察することにより、トレイ１の複数の収容部６のそれぞれに収容されているすべてのモジュール部品１の外観の良否を検査する。
【００４１】
この実施形態の電子部品の搬送方法によれば、トレイ７の下面側に形成された経路規定用凸部８を、固定カメラ２に対して、固定された位置に配設されたガイド用治具５の一続きの案内溝４に嵌め込み、経路規定用凸部８が案内溝４に沿って移動するようにトレイ７を移動させて、複数の収容部６に収容された各モジュール部品１を、固定カメラ２による撮像が行われる撮像領域Ａに順次供給し、固定カメラ２により撮像された各モジュール部品１の画像をモニター３で観察して各モジュール部品の外観を査するようにしているので、複雑な設備を必要とすることなく、例えば、複数列に配列されたモジュール部品１の外観検査を行う場合に、モジュール部品１の列を１つ飛ばして検査を行ってしまうような事態を招くことなく、トレイ７の複数の収容部６のそれぞれに収容されたモジュール部品の外観検査を確実に行うことが可能になる。
【００４２】
なお、上記実施形態の電子部品の搬送装置においては、モジュール部品（電子部品）１を、１つずつ固定カメラ２による撮像領域Ａに供給するようにしているが、本発明の電子部品の搬送装置（または搬送方法）においては、固定カメラによる撮像領域に複数のモジュール部品が存在し、固定カメラにより同時に撮像された複数のモジュール部品の画像が、モニターに表示されるように構成することも可能である。
【００４３】
なお、ディスプレイ状のモニターは必ずしも用いられなくてもよい。例えば、顕微鏡式の機構を有する固定カメラによって撮影された撮像を作業者が観察窓から覗きこむように観察するようにしてもよい。
【００４４】
その場合、例えば、図５（ａ），（ｂ）に示すように、案内溝４の折り返しピッチ（間隔）を２倍にしたガイド用治具５を用い、横に２つ並んだ状態のモジュール部品を一組として、順次撮像領域に供給し、撮像された２つのモジュール部品の画像をモニターに同時に表示させることにより、トレイを移動させる回数を、トレイに配設された収容部の数よりも少なくして（この場合には１／２にして）、効率よくモジュール部品の外観検査を行うことができる。
【００４５】
なお、上記実施形態では、モジュール部品３について外観検査を行う場合を例にとって説明したが、本発明における外観検査の対象となる電子部品は、モジュール部品に限定されるものではなく、たとえば、フラットケーブルやシールドケース、同軸ケーブルなど、各種電子機器を構成するために用いられる種々の電子部品を外観検査する場合に本発明を適用することが可能である。
【００４６】
なお、上記実施形態では、本発明の電子部品の搬送装置を電子部品の外観検査に用いる場合について説明したが、本発明はこれに限定されるものではなく、例えば、個々の電子部品に対して所定の加工を行ったり、電子部品の特性選別を行ったりするために、トレイの複数の収容部に収容された電子部品を所定位置に順次供給する、電子部品の搬送装置としても用いてもよい。その場合の搬送方法も上記の方法を用いることができる。
【００４７】
なお、本発明は、さらにその他の点においても、上記実施形態に限定されるものではなく、トレイの具体的な構成、例えば、複数の収容部の形状や配設態様、ガイド用治具の構成、案内溝のパターンなどに関し、発明の範囲内において、種々の応用、変形を加えることが可能である。
【符号の説明】
【００４８】
１              電子部品（モジュール部品）
２              固定カメラ
３              モニター
４              案内溝
５              ガイド用治具
５ａ            第１部材
５ｂ            第２部材
６              収容部
７              トレイ
８              経路規定用凸部
１０            テーブル
Ａ              撮像領域
【図１】
2014077755.tif 000003
【図２】
2014077755.tif 000004
【図３】
2014077755.tif 000005
【図４】
2014077755.tif 000006
【図５】
2014077755.tif 000007